(57)【要約】      （修正有）【課題】天井などに設置される配線ダクトに取付可能なディスプレイが、振動・風圧に対して安定に取付可能なこと。【解決手段】表示部を備えた筐体９０と、筐体の上面に設けられた複数の取付部７１，７２，７３を備え、筐体が複数の取付部によって配線ダクト２０に直接固定可能なディスプレイ５０であって、前記複数の取付部の少なくとも一つはディスプレイに給電可能である、配線ダクト取付型ディスプレイ。【選択図】図１
2019197091.tif 000002
【特許請求の範囲】
【請求項１】
表示部を備えた筐体と、前記筐体の上面に設けられた複数の取付部を備え、前記複数の取付部が配線ダクトに固定可能なディスプレイであって、
前記複数の取付部の少なくとも一つは前記ディスプレイに給電可能である、配線ダクト取付型ディスプレイ。
【請求項２】
筐体と、筐体上面に設けられた取付部と、筐体上面又はその外側に設けられた振動制限材を備え、前記取付部が天井に設置された配線ダクトに接続可能なディスプレイであって、
前記ディスプレイは、前記取付部が前記配線ダクトに固定された状態において、前記制限振動材の先端が前記天井に接触するように、または前記ディスプレイの振動時に前記制限振動材の先端が前記天井に接触する程度の隙間を有している、
配線ダクト取付型ディスプレイ。
【請求項３】
筐体と、筐体上面に設けられた少なくとも３カ所の取付部を備え、第１の配線ダクト及び第２の配線ダクトによって固定されるディスプレイであって、
前記３カ所以上の取付部のうち少なくとも２カ所は第１の配線ダクトに取付可能であり、
他の少なくとも１カ所の取付部は第２の配線ダクトに取付可能である、
配線ダクト取付型ディスプレイ。
【請求項４】
前記取付部は、係止板を備え、
前記係止板の長辺は前記配線ダクトのレール開口の幅より長く、前記係止板の短辺は前記配線ダクトのレール開口の幅より短い、
請求項１から３のいずれか１項に記載の配線ダクト取付型ディスプレイ。
【請求項５】
前記取付部は、前記係止板を回転させて取付状態と非取付状態を切り替えるためのレバーを備え、前記筐体の上面は段差部を備え、
前記レバーの位置が、前記段差部のエッジ部と接触することにより、前記取付状態及び前記非取付状態を区別可能である、
請求項４に記載の配線ダクト取付型ディスプレイ。
【発明の詳細な説明】
【技術分野】
【０００１】
本発明は、配線ダクト（ダクトレール、ライティングレール（登録商標）、ライティングダクト、スライドコンセント等とも呼ばれる）に着脱可能なＬＥＤビジョン、有機ＥＬディスプレイ、液晶ディスプレイなどのディスプレイに関する。
【背景技術】
【０００２】
照明器具用として開発された配線ダクトは、天井などに取り付けられ、照明器具を吊り下げて固定すると共に給電することが可能である。さらに、配線ダクトは線状なので、設置器具の位置を線方向に沿って動かすことができるという利便性を備えている。
【０００３】
配線ダクトの機能は、照明器具以外の電気器具においても活用可能性がある。特許文献１には、薄型映像表示装置本体を、照明用配線ダクトに接続する例が示されている。薄型映像表示装置は、支持部材（支持棒）を介して支持部材の一旦に設けたプラグを照明用配線ダクトに機械的に固定されると共に電気的に接続されている。
【先行技術文献】
【特許文献】
【０００４】
【特許文献１】特開２００７−２７９３９７号公報
【発明の概要】
【発明が解決しようとする課題】
【０００５】
発明者は、比較的重量物であるＬＥＤビジョン（点状ＬＥＤのマトリクスからなるディスプレイ）の店舗内での設置場所として、店舗に既に設置されている配線ダクトに吊り下げて取り付けることが、床に設置場所をとらずにディスプレイを設置でき有用であると考えた。しかしながら、ＬＥＤビジョンの重量が、サイズにもよるが例えば５ｋｇ以上と重く、ＬＥＤビジョンの設置場所が、場合によっては通行人の頭上になることから、万が一にも落下しないよう検討を行った。
【０００６】
特許文献１に記載の薄型映像表示装置は、一本の支持部材により固定されており、一本の支持部材は１カ所で配線ダクトに固定されている。このようなアーム支持構造のため、薄型映像表示装置を見やすい方向に傾けることが可能であるといったメリットがある。しかし、例えば地震・強風などによる振動に対して大きく揺れる恐れがあり、そのような揺れによって直ちに装置が落下しないとしても、固定部の変形などの故障が生じ得る。
【０００７】
本発明は、配線ダクトへの固定の安定性に優れた表示装置を提供することを目的としている。
【課題を解決するための手段】
【０００８】
本発明は、表示部を備えた筐体と、前記筐体の上面に設けられた複数の取付部を備え、前記複数の取付部が配線ダクトに固定可能なディスプレイであって、前記複数の取付部の少なくとも一つは前記ディスプレイに給電可能である、配線ダクト取付型ディスプレイである。
【０００９】
また、本発明は、筐体と、筐体上面に設けられた取付部及び振動制限材を備え、前記取付部が天井に設置された配線ダクトに接続可能なディスプレイであって、前記ディスプレイは、前記取付部が前記配線ダクトに固定された状態において、前記制限振動材の先端が前記天井に接触するように、または前記ディスプレイの振動時に前記制限振動材の先端が前記天井に接触する程度の隙間を有している、配線ダクト取付型ディスプレイである。
【００１０】
また、本発明は、筐体と、筐体上面に設けられた少なくとも３カ所の取付部を備え、第１の配線ダクト及び第２の配線ダクトによって固定されるディスプレイであって、前記３カ所以上の取付部のうち少なくとも２カ所は第１の配線ダクトに取付可能であり、他の少なくとも１カ所の取付部は第２の配線ダクトに取付可能である、配線ダクト取付型ディスプレイである。
【００１１】
また、本発明において、前記取付部は、係止板を備え、前記係止板の長辺は前記配線ダクトのレール開口の幅より長く、前記係止板の短辺は前記配線ダクトのレール開口の幅より短いことが好ましい。
【００１２】
また、本発明において、前記取付部は、前記係止板を回転させて取付状態と非取付状態を切り替えるためのレバーを備え、前記筐体の上面は段差部を備え、前記レバーの位置が、前記段差部のエッジ部と接触することにより、前記取付状態及び前記非取付状態を区別可能であることが好ましい。
【発明の効果】
【００１３】
本発明によるディスプレイは、配線ダクトに吊り下げ固定可能であって、振動・風圧などがあっても安定に取付可能なため、高所に安全に取り付けることができる。
【図面の簡単な説明】
【００１４】
【図１】本発明の実施形態１に係るディスプレイの正面図・側面図・上面図。
【図２】同ディスプレイの上面拡大図。
【図３】配線ダクトの断面図。
【図４】本発明の実施形態２に係るディスプレイの正面図・側面図・上面図。
【図５】本発明の実施形態３に係るディスプレイの正面図・側面図・上面図。
【発明を実施するための形態】
【００１５】
＜実施形態１＞
＜ディスプレイ＞
本実施形態に係るディスプレイ５０の正面図、側面図、上面図をそれぞれ図１（ａ）、（ｂ）、（ｃ）に示す。ディスプレイ５０はＬＥＤビジョンであって、本体部５５と、電源ケース６０と、取付ベース７０とが１つの筐体９０として一体的に構成され、取付ベースの上面に第１取付部７１、第２取付部７２、第３取付部７３が設けられている。一体型の筐体９０の上面にある複数の取付部で配線ダクト２０に取り付けてディスプレイ５０を吊り下げ固定することにより、ディスプレイ５０は地震による振動・強風による風圧などの過酷な環境下における設置安全性を保つことができる。
【００１６】
＜電源ケース＞
電源ケース６０には、配線ダクトから給電されたＡＣ電力を本体部５５に用いるＤＣ電力に変換する電源等が収容されている。電源ケース６０は金属もしくは各種樹脂等からなる。電源ケース６０には、映像信号をディスプレイの表示信号に変換するための駆動回路も収納することができる。なお、電源及び駆動回路の設置位置としては、電源ケース６０の他、表示部の裏面側など別の場所であってもよく、その場合には電源ケース６０を省略することができる。
【００１７】
＜取付部＞
図２は、ディスプレイ５０の上面拡大図である。取付ベース７０の上面には一段高くなった段差部７５があり、その上に第１取付部７１、第２取付部７２及び第３取付部７３を備える。ただし各取付部のレバー７１Ｌ、７２Ｌ、７３Ｌは段差部７５の上面より下側に設けられている。レバー７１Ｌ、７２Ｌ、７３Ｌの操作によって、一部の角が丸みをおびた略長方形の係止板７１Ｈ、７２Ｈ、７３Ｈが回転するようになっている。係止板７１Ｈ、７２Ｈ、７３Ｈの短辺の長さは後述する配線ダクトのレール開口２１の幅より短く、係止板７１Ｈ、７２Ｈ、７３Ｈの長辺の長さは、レール開口２１の幅より長い。図２に図示の状態は取付状態であり、この状態から各レバーを９０°時計まわりに回すことにより非取付状態になる。取付状態・非取付状態を取付作業者にわかりやすくするため、段差部７５の高さ（例えば３ｍｍ）はレバー７１Ｌ、７２Ｌ、７３Ｌの厚さ（例えば２ｍｍ）より若干厚めに設定され、レバー７１Ｌ、７２Ｌ、７３Ｌの可動範囲が段差部７５の左エッジ部７５Ｌ及び右エッジ部７５Ｒで規定される。レバー７１Ｌ、７２Ｌ、７３Ｌが左エッジ部７５Ｌに当たる状態が非取付状態（レバー７３Ｌ（Ｏ）として図示）、右エッジ部７５Ｒに当たる状態が取付状態と明確に区別することができる。なお、取付状態においてレバー７１Ｌ、７２Ｌ、７３Ｌの先端部が電源ケース６０の上面の境界線より内側にあるため、ディスプレイ５０を見上げた視認者にとってレバー７１Ｌ、７２Ｌ、７３Ｌが見えず、デザイン的にすっきりするという利点がある。
【００１８】
第１取付部７１は、配線ダクト２０から電源ケース６０への給電機構である回転電極７１Ｅを有している。第２取付部７２及び第３取付部７３は給電機構を備えず、係止板７１Ｈ、７２Ｈ、７３Ｈによる固定機能のみを有する。
【００１９】
＜配線ダクト＞
配線ダクト２０は略矩形状であり、断面図である図３に示すように、図の奥行方向に開口しているレール開口２１と、係止受け２２と、給電部２３と、天面２４とを備えている。天面２４は、配線ダクト２０が設置される際に、天井面に接する部分である。
【００２０】
係止受け２２の上面に、第１取付部７１の係止板７１Ｈが合わさることにより、第１取付部７１が係止される。その際、給電部２３に第１取付部７１の回転電極７１Ｅが接触することにより、ディスプレイ５０への給電がなされる。
【００２１】
配線ダクト２０は一般には天井に固定されるが、天井から宙吊りされた細長い部材であるレースウエイ等に固定されていてもよい。
【００２２】
＜実施形態２＞
本実施形態は、図４に示すように、実施形態１の電源ケース６０の上面の四カ所に、振動制限材８１、８２、８３、８４を加えたものである。振動制限材の先端は、ディスプレイが配線ダクトに吊り下げ固定された状態において天井３０に接触するか、わずかに（例えば１ｍｍ程度）すきまがありディスプレイの振動時に天井に接触する程度である。振動制限材における天井との接触部分の材料はゴム等の弾性材が好ましいが、これに限られない。
【００２３】
ディスプレイ５０に振動が加わり斜めに傾いたとき、振動制限材８１、８２、８３、８４の少なくとも１カ所の先端が天井３０に当たり、ディスプレイ５０がさらに斜めに傾くのを防ぐことができる。そのためディスプレイ５０がＬＥＤディスプレイなど重量物であっても、配線ダクト２０に安全に係止することができる。
【００２４】
振動制限材の設置位置は電源ケース６０の上面の四隅としたが、これに限られない。例えば配線ダクト２０の両側にあたる振動制限材８１と８４の２カ所だけでも振動を抑制する効果はある。また振動制限材は、電源ケース６０の上面を天井に投影した領域の外側に張り出していてもよく、その方が振動制限の効果が高まる。
【００２５】
なお、本実施形態に記載の振動制限材を備えた構造は、表示部が取付ベース側の筐体とは独立し、表示部が１本または２本の棒状の支持部材により取付ベース側の筐体に支持され、取付ベース側の筐体が配線ダクトに取り付けられる構造にも適用することができる。
【００２６】
＜実施形態３＞
本実施形態のディスプレイ１５０の正面図、側面図、上面図をそれぞれ図５（ａ）、（ｂ）、（ｃ）に示す。ディスプレイ１５０はＬＥＤビジョンであって、本体部１５５と、電源ケース１６０と、４カ所の取付ベース１７０が筐体１９０として一体的に構成され、取付ベース上に設けられた第１取付部１７１、第２取付部１７２、第３取付部１７３、第４取付部１７４とを備える。本体部１５５は電源ケース１６０から鉛直方向より例えば５度から３０度の範囲で（より好ましくは１０度以上、又は２０度以下の範囲で）傾けているため、ディスプレイを天井近くに設置しても下から見やすくなっている。
【００２７】
給電は第１取付部１７１だけで行っている。第２取付部１７２、第３取付部１７３、第４取付部１７４は固定のために用いられる。
【００２８】
第１取付部１７１と第３取付部１７３が配線ダクト１２０、第２取付部１７２と第４取付部１７４が配線ダクト１２１に固定されている。このように２本のレールに４カ所（３カ所でもよい）で固定されているため、ディスプレイ１５０は左右方向だけでなく前後方向の振動等に対しても強く吊り下げ固定される。取付ベースとレールの関係は、例えば第１取付部１７１、第２取付部１７２が一方の配線ダクト、第３取付部１７３と第４取付部１７４が他の配線ダクトに取り付けられても良い。なお、配線ダクト１２０に２カ所、配線ダクト１２１に１カ所取付けされていれば、取付部分の配置が三角形をなすため、振動の方向によらず安定して固定することができる。
【００２９】
また、１本の配線ダクトに係止可能な最大荷重は、例えば配線ダクト１ｍあたり器具の総重量１８ｋｇまでだが、天井の強度や配線ダクトの設置状況によっては耐荷重３ｋｇ程度となる。本実施形態のように、ディスプレイを２本の配線ダクトに固定することにより、保持可能な最大荷重が２倍になり、１本の配線ダクトの最大荷重を超える重さのディスプレイを設置することができる。
【００３０】
なお、本実施形態に記載の複数の配線ダクトへの取付構造は、表示部と取付ベースが分離し、表示部が１本または２本の棒状の支持部材により取付ベース側の筐体に支持されるディスプレイにおいて、取付ベース側の筐体が複数の取付部によって複数の配線ダクトに取り付けられる構造にも適用することができる。
【符号の説明】
【００３１】
５０、１５０            ディスプレイ
５５、１５５            本体部
６０、１６０            電源ケース
７０、１７０            取付ベース
７１、１７１            第１取付部
７２、１７２            第２取付部
７３、１７３            第３取付部
１７４                  第４取付部
７１Ｅ                  回転電極
７１Ｈ、７２Ｈ、７３Ｈ  係止板
７１Ｌ、７２Ｌ、７３Ｌ  レバー
７５                    段差部
７５Ｌ                  左エッジ部
７５Ｒ                  右エッジ部
８１、８２、８３、８４  振動制限材
９０、１９０            筐体
２０、１２０、１２１    配線ダクト
２１                    レール開口
２２                    係止受け
２３                    給電部
２４                    天面
３０                    天井
【図１】
2019197091.tif 000003
【図２】
2019197091.tif 000004
【図３】
2019197091.tif 000005
【図４】
2019197091.tif 000006
【図５】
2019197091.tif 000007